【手続補正書】
【提出日】平成27年11月18日(2015.11.18)
【手続補正１】
【補正対象書類名】特許請求の範囲
【補正対象項目名】全文
【補正方法】変更
【補正の内容】
【特許請求の範囲】
【請求項１】
支持体および該支持体上に電荷輸送層を有する電子写真感光体を製造する電子写真感光体の製造方法において、
該製造方法が、
２５℃１気圧における水に対する溶解度が１．０質量％以下の第１の液体、電荷輸送物質、および結着樹脂を含有する第１の溶液を調製し、
２５℃１気圧における水に対する溶解度が５．０質量％以上、かつ２５℃１気圧における該第１の液体に対する溶解度が５．０質量％以上の第２の液体、および水を含有する第２の溶液を調製し、
該第１の溶液を該第２の溶液に分散させて乳化液を調製する工程、ならびに
該乳化液の塗膜を形成し、該塗膜を加熱することにより、該電荷輸送層を形成する工程を有する
ことを特徴とする電子写真感光体の製造方法。
【請求項２】
前記結着樹脂が、前記第１の液体に可溶な樹脂であることを特徴とする請求項１に記載の電子写真感光体の製造方法。
【請求項３】
前記第２の液体が、２５℃１気圧における水に対する溶解度が２０．０質量％以上の液体であることを特徴とする請求項１または２に記載の電子写真感光体の製造方法。
【請求項４】
前記乳化液における水の質量（ｗ）と、前記第１の液体および前記第２の液体の合計質量（ａ＋ｃ）との比（ｗ／（ａ＋ｃ））が、５／５〜７／３であることを特徴とする請求項１〜３のいずれか１項に記載の電子写真感光体の製造方法。
【請求項５】
前記乳化液における前記第１の液体の質量（ａ）と前記第２の液体の質量（ｃ）との比（ａ／ｃ）が、９７／３〜３０／７０であることを特徴とする請求項１〜４のいずれか１項に記載の電子写真感光体の製造方法。
【請求項６】
前記第１の液体が、トルエン、クロロホルム、ジクロロベンゼン、クロロベンゼン、キシレン、エチルベンゼンおよびフェネトールからなる群より選択される少なくとも１種であることを特徴とする請求項１〜５のいずれか１項に記載の電子写真感光体の製造方法。
【請求項７】
前記第１の液体が、トルエンおよびキシレンの少なくとも一方であることを特徴とする請求項６に記載の電子写真感光体の製造方法。
【請求項８】
前記第２の液体が、テトラヒドロフラン、ジメトシキメタン、１，２−ジオキサン、１，３−ジオキサン、１，４−ジオキサン、１，３，５−トリオキサン、メタノール、２−ペンタノン、エタノール、テトラヒドロピラン、ジエチレングリコールジメチルエーテル、エチレングリコールジメチルエーテル、プロピレングリコール−ｎ−ブチルエーテル、プロピレングリコールモノプロピルエーテル、エチレングリコールモノメチルエーテル、ジエチレングリコールモノエチルエーテル、エチレングリコールモノイソプロピルエーテル、エチレングリコールモノブチルエーテル、エチレングリコールモノイソブチルエーテル、エチレングリコールモノアリルエーテル、プロピレングリコールモノメチルエーテル、ジプロピレングリコールモノメチルエーテル、トリプロピレングリコールモノメチルエーテル、プロピレングリコールモノブチルエーテル、プロピレングリコールモノメチルエーテルアセテート、ジエチレングリコールメチルエチルエーテル、ジエチレングリコールジエチルエーテル、ジプロピレングリコールジメチルエーテル、プロピレングリコールジアセテート、メチルアセテート、エチルアセテート、ｎ−プロピルアルコール、３−メトキシブタノール、３−メトキシブチルアセテートおよびエチレングリコールモノメチルエーテルアセテートからなる群より選択される少なくとも１種であることを特徴とする請求項１〜７のいずれか１項に記載の電子写真感光体の製造方法。
【請求項９】
前記第２の液体が、テトラヒドロフランおよびジメトキシメタンの少なくとも一方であることを特徴とする請求項８に記載の電子写真感光体の製造方法。
【請求項１０】
前記第１の溶液および前記第２の溶液から選択される少なくとも一つが、界面活性剤を含有する請求項１〜９のいずれか１項に記載の電子写真感光体の製造方法。
【請求項１１】
前記界面活性剤の乳化液中の含有率が、０質量％〜１．５質量％の範囲である請求項１０に記載の電子写真感光体の製造方法。
【請求項１２】
前記乳化液が、０．１μｍ〜５．０μｍの平均粒径の乳化粒子を含有する請求項１〜１１のいずれか１項に記載の電子写真感光体の製造方法。
【請求項１３】
電荷輸送層を有する有機デバイスを製造する有機デバイスの製造方法において、
該製造方法が、
２５℃１気圧における水に対する溶解度が１．０質量％以下の第１の液体、電荷輸送物質、および結着樹脂を含有する第１の溶液を調製し、
２５℃１気圧における水に対する溶解度が５．０質量％以上、かつ２５℃１気圧における該第１の液体に対する溶解度が５．０質量％以上の第２の液体、および水を含有する第２の溶液を調製し、
該第１の溶液を該第２の溶液に分散させて乳化液を調製する工程、ならびに
該乳化液の塗膜を形成し、該塗膜を加熱することにより、該電荷輸送層を形成する工程を有する
ことを特徴とする有機デバイスの製造方法。
【請求項１４】
前記第１の液体が、トルエン、クロロホルム、ジクロロベンゼン、クロロベンゼン、キシレン、エチルベンゼンおよびフェネトールからなる群より選択される少なくとも１種であることを特徴とする請求項１３に記載の有機デバイスの製造方法。
【請求項１５】
前記第２の液体が、テトラヒドロフラン、ジメトシキメタン、１，２−ジオキサン、１，３−ジオキサン、１，４−ジオキサン、１，３，５−トリオキサン、メタノール、２−ペンタノン、エタノール、テトラヒドロピラン、ジエチレングリコールジメチルエーテル、エチレングリコールジメチルエーテル、プロピレングリコール−ｎ−ブチルエーテル、プロピレングリコールモノプロピルエーテル、エチレングリコールモノメチルエーテル、ジエチレングリコールモノエチルエーテル、エチレングリコールモノイソプロピルエーテル、エチレングリコールモノブチルエーテル、エチレングリコールモノイソブチルエーテル、エチレングリコールモノアリルエーテル、プロピレングリコールモノメチルエーテル、ジプロピレングリコールモノメチルエーテル、トリプロピレングリコールモノメチルエーテル、プロピレングリコールモノブチルエーテル、プロピレングリコールモノメチルエーテルアセテート、ジエチレングリコールメチルエチルエーテル、ジエチレングリコールジエチルエーテル、ジプロピレングリコールジメチルエーテル、プロピレングリコールジアセテート、メチルアセテート、エチルアセテート、ｎ−プロピルアルコール、３−メトキシブタノール、３−メトキシブチルアセテートおよびエチレングリコールモノメチルエーテルアセテートからなる群より選択される少なくとも１種であることを特徴とする請求項１３または１４に記載の有機デバイスの製造方法。
【請求項１６】
支持体および該支持体上に電荷輸送層を有する電子写真感光体を製造する電子写真感光体の製造方法において、
該製造方法が、
第１の液体、電荷輸送物質、および結着樹脂を含有する第１の溶液を調製し、
第２の液体、および水を含有する第２の溶液を調製し、
該第１の溶液を該第２の溶液に分散させて乳化液を調製する工程、ならびに
該乳化液の塗膜を形成し、該塗膜を加熱することにより、該電荷輸送層を形成する工程を有し、
該第１の液体が、トルエン、クロロホルム、ジクロロベンゼン、クロロベンゼン、キシレン、エチルベンゼンおよびフェネトールからなる群より選択される少なくとも１種であり、
該第２の液体が、テトラヒドロフラン、ジメトシキメタン、１，２−ジオキサン、１，３−ジオキサン、１，４−ジオキサン、１，３，５−トリオキサン、メタノール、２−ペンタノン、エタノール、テトラヒドロピラン、ジエチレングリコールジメチルエーテル、エチレングリコールジメチルエーテル、プロピレングリコール−ｎ−ブチルエーテル、プロピレングリコールモノプロピルエーテル、エチレングリコールモノメチルエーテル、ジエチレングリコールモノエチルエーテル、エチレングリコールモノイソプロピルエーテル、エチレングリコールモノブチルエーテル、エチレングリコールモノイソブチルエーテル、エチレングリコールモノアリルエーテル、プロピレングリコールモノメチルエーテル、ジプロピレングリコールモノメチルエーテル、トリプロピレングリコールモノメチルエーテル、プロピレングリコールモノブチルエーテル、プロピレングリコールモノメチルエーテルアセテート、ジエチレングリコールメチルエチルエーテル、ジエチレングリコールジエチルエーテル、ジプロピレングリコールジメチルエーテル、プロピレングリコールジアセテート、メチルアセテート、エチルアセテート、ｎ−プロピルアルコール、３−メトキシブタノール、３−メトキシブチルアセテートおよびエチレングリコールモノメチルエーテルアセテートからなる群より選択される少なくとも１種である
ことを特徴とする電子写真感光体の製造方法。